(57)【要約】
【課題】葬儀業者の挨拶用等として又は一般弔問者が香典と共に若しくは香典に代えて手軽でありながら充分に弔慰を表明し得る贈呈品として便利に使用できるものを提供する。
【解決手段】箱１と被せ蓋４からなり、被せ蓋４の表面から左右側面に香典袋と同様の水引模様５と御霊前等の弔事用語６を印刷し、箱１内に線香２等を詰め、被せ蓋4で蓋したものの外周を帯状の透明フィルム７で巻付け包装し、該包装したものの、被せ蓋４正面の水引模様5の下方位置とその上を覆う透明フィルム７の間に、別設の弔慰カード８または名刺を抜き差し自在に挿置するように備えた弔慰カード付箱入り線香を提供する。
【選択図】図１
0003100506.tif 000002
【実用新案登録請求の範囲】
【請求項１】
　長方形紙製の箱と該箱をすっぽり覆う長方形紙製の被せ蓋からなり、被せ蓋の表面から左右側面に香典袋と同様の水引模様と御霊前等の弔事用語を銀箔押し、銀色若しくは墨色に印刷して表し、箱内に線香等を詰め、被せ蓋で蓋したものの外周を帯状の透明フィルムで巻付け包装したものであり、該包装したものの、被せ蓋正面の水引模様の下方位置とその上を覆う透明フィルムの間に、別設の弔慰カード即ち名刺大のカードに「故人を偲んで」等の弔慰を表す文言、絵柄等を予め印刷し、或いは該文言、絵柄等や住所、氏名等を記入できるように備えた弔慰カード、または名刺を抜き差し自在に挿置するように備えたことを特徴とする、弔慰カード付箱入り線香。
【請求項２】
　箱内に線香、お香、蝋燭、着火器、その他の弔事典礼用品の少なくとも１を詰めたものである、請求項１の弔慰カード付箱入り線香。
【請求項３】
　線香等を詰めた箱の表面の広縁部に「まごころ」等の文言、絵柄等を印刷したものである、請求項１の弔慰カード付箱入り線香。
【考案の詳細な説明】
【技術分野】
【０００１】
本考案は、主として葬儀業者が名刺代わりや挨拶代わり若しくはサービス等として施主等に贈呈し、または弔問者、参列者等が香典等と共に若しくは香典等の代わりに遺族に贈呈する箱入り線香に係り、線香、蝋燭等を詰めた箱に、香典袋に似た外観の被せ蓋をして透明フィルムで包装したものであり、その被せ蓋と透明フィルムの間に弔慰カードまたは名刺を挿置し得るように備えた、弔慰カード付箱入り線香に係る。
【背景技術】
【０００２】
　従来、弔事には葬儀及び４９日までは「御霊前」、それ以降の法要等には「御仏前」、「志」等と印刷した市販の各種香典袋に金員を包んで遺族に贈ることが一般的に行われている。
該香典袋は袋正面に水引を掛け巻きしたもの若しくは水引模様及び上記各文字等を印刷（銀色、銀箔押し、墨色等の印刷）したものである。
【０００３】
　また、葬儀業者若しくは弔問、参列者から上記香典（袋）と共に若しくは別に箱入りの線香を贈る場合もあり、更に、一旦香典を贈った後に、法要等で再度訪れる場合などに手ぶらで行く代わりにお線香、お花等を贈る場合もある。
そして、葬儀業者が葬儀施行を請負った場合などに、名刺代わり、挨拶代わり若しくはサービスとして、施主、遺族等に線香を贈る場合も多い。
【０００４】
　然るところ、従来販売されている贈呈用の箱入り線香は外装箱や包装が大袈裟でかなり高価であるため、挨拶代わりの手軽な贈呈用（例、現価で１０００円程度）としては利用できない難点があった。
【考案の開示】
【考案が解決しようとする課題】
【０００５】
　そこで、本考案は、主として葬儀業者が施主等に贈呈するものとして、安価であり乍ら体裁の良い箱入り線香を提供し、或いは一般的な弔問者、参列者等が香典と共に若しくは香典代わりに遺族に贈る手軽で体裁の良い箱入り線香を提供して、上記従来の課題を解決したものである。
【０００６】
　そして、上記目的のために、線香を詰めた箱の蓋に従来の香典袋と全く同様に見える水引模様と御霊前等の文字を主として銀箔押し印刷で表して、香典袋に近い雰囲気を出すようにする一方、「故人を偲んで」、「感謝を込めて」、「謹んでお悔やみ申し上げます」、その他の弔慰を表す文言や仏事に因んだ絵柄等を予め印刷した、若しくはそれらの文言、絵柄等や住所、氏名等を記入できるようにした名刺大の弔慰カードを蓋正面と包装透明フィルムの間に抜き差し自在に挿置できるように備え、或いは該カードに代えて名刺を挿置できるように備えて、使用に便ならしめたものである。
【０００７】
　本考案品は上記のように葬儀業者に販売し、また、一般弔問用として、香典袋と同様に使用できるようにスーパー、コンビニ、雑貨店等で弔事、典礼用品として販売して、手軽に使用できるようにして、従来の課題を解決するものである。
【課題を解決するための手段】
【０００８】
　長方形紙製の箱と該箱をすっぽり覆う長方形紙製の被せ蓋からなり、被せ蓋の表面から左右側面に香典袋と同様の水引模様と御霊前等の弔事用語を銀箔押し、銀色若しくは墨色に印刷して表し、箱内に線香等を詰め、被せ蓋で蓋したものの外周を帯状の透明フィルムで巻付け包装したものであり、
【０００９】
該包装したものの、被せ蓋正面の水引模様の下方位置とその上を覆う透明フィルムの間に、別設の弔慰カード即ち名刺大のカードに「故人を偲んで」等の弔慰を表す文言、絵柄等を予め印刷し、或いは該文言、絵柄等や住所、氏名等を記入できるように備えた弔慰カード、または名刺を抜き差し自在に挿置するように備えたことを特徴とする弔慰カード付箱入り線香によって、課題を解決したものである。
【考案の効果】
【００１０】
　被せ蓋の正面に香典袋と同様に水引模様と御霊前等の文字を印刷したので、一見して香典袋を連想せしめ、使用者（贈呈者、弔問者等）に弔事用品としてごく自然に受け入れられる利点がある。
【００１１】
　よって、特に葬儀業者の挨拶等用として、また一般弔問者には香典と共に若しくは香典に代えて手軽でありながら充分に弔意を表明し得る贈呈品として便利に使用できる。
【００１２】
　また、被せ蓋の正面下方部と透明包装フィルムの間に弔慰カードまたは名刺（縦型、横型どちらでも）を差し込み挿置できるようにしたので、贈呈者、弔問者等の弔意を表明し、或いは住所、氏名等を知らしめ得る利点がある。
【００１３】
　弔慰カード、名刺等は抜き差し自在であるので、販売者が予め数種類の弔慰カードを同梱販売すれば、使用者はカードを選択でき、また弔慰カードと名刺を選択使用できて極めて便利である。
【００１４】
　箱に詰める物品は、主として線香であるが、他にお香、蝋燭、着火器等の弔事、典礼用品を詰めて販売すれば、極めて便利である。
【考案を実施するための最良の形態】
【００１５】
葬儀業者の挨拶用等として又は一般弔問者が香典と共に若しくは香典に代えて手軽でありながら充分に弔意を表明し得る贈呈品として便利に使用できるものを提供する目的を、被せ蓋の正面に香典袋と同様に水引模様と御霊前等の文字を印刷し、被せ蓋の正面下方部と透明包装フィルムの間に弔慰カードまたは名刺を差し込み挿置できるようにした、弔慰カード付箱入り線香によって実現した。
【実施例】
【００１６】
図１は本考案の１実施例の正面図、平面図、及び右側面図であり、符号１は箱、２は線香、３は広縁、４は被せ蓋、５は水引模様、６は弔事用語、７は透明フィルム、８は弔慰カード、９は弔意を表す文言である。
【００１７】
長方形紙製の箱１と該箱１をすっぽり覆う長方形紙製の被せ蓋４からなり、被せ蓋４の表面から左右側面に香典袋と同様の水引模様５と御霊前等の弔事用語６を銀箔押し、銀色若しくは墨色に印刷して表し、箱１内に線香２等を詰め、被せ蓋4で蓋したものの外周を帯状の透明フィルム７で巻付け包装したものであり、
【００１８】
該包装したものの、被せ蓋４正面の水引模様5の下方位置とその上を覆う透明フィルム７の間に、別設の弔慰カード８即ち名刺大のカードに「故人を偲んで」、「感謝を込めて」、「謹んでお悔やみ申し上げます」、その他の弔慰を表す文言や仏事に因んだ絵柄等を予め印刷し、或いは該文言、絵柄等や住所、氏名等を適宜記入できるように備えた弔慰カード８、または名刺を抜き差し自在に挿置するように備えて、本考案に係る弔慰カード付箱入り線香を設けたものである。
【００１９】
上記の本考案弔慰カード付箱入り線香において、箱１内には主として線香を入れるが、線香と共に若しくは他に、お香、蝋燭、着火器、その他の弔事典礼用品の少なくとも１を入れることも、需要に応じて自由である。
【００２０】
　また、線香等を詰めた箱の表面の広縁部に「まごころ」等の文言、絵柄等を印刷すれば、より丁重な弔慰を表明できる。
【産業上の利用可能性】
【００２１】
　弔慰カード、名刺等は抜き差し自在であるので、販売者が予め数種類の弔慰カードを同梱販売すれば、使用者はカードを選択でき、また弔慰カードと名刺を選択使用できて極めて便利である。
【００２２】
　箱に詰める物品は、主として線香であるが、他にお香、蝋燭、着火器等の弔事、典礼用品を詰めて販売すれば、極めて便利である。
【図面の簡単な説明】
【００２３】
【図１】本考案の実施例の正面図、平面図、及び右側面図。
【図２】被せ蓋の正面図、背面図、及び平面図。
【図３】被せ蓋の右側面図、及びＡ−Ａ線矢視断面図。
【図４】箱の正面図、平面図、及び右側面図
【図５】箱のＢ−Ｂ線矢視断面図。
【図６】弔慰カードの正面図、及び右側面図。
【符号の説明】
【００２４】
１　箱
２　線香
３　広縁
４　被せ蓋
５　水引模様
６　弔事用語
７　透明フィルム
８　弔慰カード
９　弔意を表す文言
【図１】
0003100506.tif 000003
【図２】
0003100506.tif 000004
【図３】
0003100506.tif 000005
【図４】
0003100506.tif 000006
【図５】
0003100506.tif 000007
【図６】
0003100506.tif 000008